(57)【要約】【課題】比較的簡易な構造でありながら長期間の使用によっても動作不良や異常振動が比較的生じにくく、かつ、挿入部である探触子の衛生管理自体が比較的容易な超音波探触子を提供する。【解決手段】第一磁性体１２を一部に有する第一回転子１１を先端付近に備えた第一ハウジング１０と、第二磁性体３２を一部に有する第二回転子３１を基端付近に備えた略筒状の第二ハウジング２０と、第二ハウジング２０の筒内に伸長配置された伝達ロッド３０と、超音波探触子４１を備えると共に伝達ロッド３０の先部に連結されて組み込まれる第三回転子４０とを具備する。第二磁性体３２は、第一磁性体の磁場内に配され、回転機構によって第一回転子１１が回転すると、第一磁性体の磁気モーメントを受けた第二磁性体と共に第二回転子３１が回転し、第二回転子３１の回転に伴って伝達ロッド３０が第三回転子４０に回転力を伝達する。【選択図】図２
2014079475.tif 000002
【特許請求の範囲】
【請求項１】
第一磁性体（１２）を一部に有する第一回転子（１１）を先端付近に備えると共に、第一回転子（１１）を回転させる回転機構を第一回転子（１１）よりも内側ないし後方に備えた、略筒状の第一ハウジング（１０）と、
第二磁性体（３２）を一部に有する第二回転子（３１）を基端付近に備えると共に、この第二磁性体（３２）が前記第一磁性体（１２）の磁場影響領域内に入った状態で第一ハウジング（１０）の先側に連結される、略筒状の第二ハウジング（２０）と、
第二ハウジング（２０）の筒内に伸長配置され、前記第二回転子（３１）に基部連結されて第二回転子（３１）の回転力をそれ自体の先部に伝える伝達ロッド（３０）と、
伝達ロッド（３０）の先部に連結されて第二ハウジング（２０）の先端付近に組み込まれ、超音波探触子（４１）を外周側面に露出して備えた第三回転子（４０）とを具備してなり、
回転機構によって第一回転子（１１）が回転すると、第一磁性体の磁気モーメントを受けた第二磁性体（３２）と共に第二回転子（３１）が回転し、
第一磁性体（１２）の磁気モーメントによって第二回転子（３１）が回転すると、その第二回転子（３１）の回転に伴って伝達ロッド（３０）が先側の第三回転子（４０）に回転力を伝達し、
第三回転子（４０）が回転することで、その側周面に露出した超音波探触子（４１）が回転移動し、第二ハウジング（２０）の先側部分の外方周囲を非接触探触することを特徴とする超音波探触装置。
【請求項２】
第一ハウジング（１０）の先端部と第二ハウジング（２０）の基端部のそれぞれに、互いに連結解除可能な一組の連結機構を片方ずつ備えた請求項１記載の超音波探触装置。
【請求項３】
第三回転子（４０）は、第二ハウジング（２０）の先部にて伝達ロッド３０（３０）の先端に固定され、第二ハウジング（２０）の筒軸と同軸上に回転可能に取り付けられた回転筒体からなり、
この第三回転子（４０）の筒側面に、筒径方向外方を指向方向中心とした一または複数の超音波探触子（４１）を備えてなる請求項１又は２記載の超音波探触装置。
【請求項４】
第二ハウジング（２０）の先部に、略筒状の支持ベース（４Ｆ）が同軸連結され、
第三回転子（４０）は、この支持ベース（４Ｆ）の軸と交差する突出軸方向に突出して、突出軸周りに回転可能に取り付けられた突出体からなり、
この突出体の突出側面に超音波探触子（４１）が露出して組み込まれ、
伝達ロッド（３０）の回転力が、前記支持ベース（４Ｆ）内で方向変換され、突出体の突出軸周りの回転力として伝達される請求項１又は２のいずれか記載の超音波探蝕装置。
【請求項５】
超音波探触子（４１）によって非接触で探触データを取得する請求項１〜４のいずれかの超音波探触装置と、取得された探触データを分析する分析装置とを具備してなる超音波探触システムであって、
超音波探触装置は、前記第三回転子（４０）の内部、又は第三回転子（４０）の先部に取り付けられた先端キャップ（２Ｅ）内のいずれかに、超音波探触子（４１）による探触データを送信する送信機（４３）を備え、
分析装置は、送信装置（４３）から送信された探触データを受信する受信機を備える超音波探蝕システム。
【発明の詳細な説明】
【技術分野】
【０００１】
本発明は、超音波探触子によって被験者の体内の状態を超音波内視するための超音波探触装置、及び、このような超音波探触装置を備えた超音波探触システムに関する。
【背景技術】
【０００２】
超音波振動子から出射される超音波を機械的に走査させる超音波内視鏡として、従来、挿入部の先端部に配置された超音波振動子と、この超音波振動子から出射される超音波を機械的に走査させる回転部材とを備えたものが開示される。例えば操作性に優れていて、良好な超音波画像を得ることができる、小型かつ軽量なものとして開示される超音波内視鏡は、前記回転部材に連結されていて前記挿入部内を通り操作部２まで延出している可撓性を有する第１回転伝達軸２９と、前記ユニバーサルコード１１内に挿通されていて当該ユニバーサルコード１１の基端側と連結する駆動装置から発生する回転駆動力を高トルクで伝達する第２回転伝達軸３３と、この第２回転伝達軸３３の回転駆動力を低トルク高回転化して前記第１回転伝達軸２９に伝達する一組の傘歯車とを備えてなる、とされる（特許文献１参照）。
【０００３】
また従来、簡単な構成で、より安価で、精度の高いものとして開示される超音波探触子は、パイプ１０２に雄ねじ１０２Ａが形成されている。モータシャーシＡ１０５１には、雌ねじ１０５１Ｃが形成されている。パイプ１０２を回転させることにより、傘歯車１１７と１１４Ａの噛み合い調整を簡単に行なうことができる。また、パイプ１０２には、溝１０２Ａが形成してあるので、分解を容易に行なうことができるもの、とされる（特許文献２参照）。
【先行技術文献】
【特許文献】
【０００４】
【特許文献１】特開平１０−２５８０５５号公報
【特許文献２】特開２０００−３３３９５８号公報
【発明の概要】
【発明が解決しようとする課題】
【０００５】
しかしながら、上記従来の超音波内視鏡や超音波探触子は、モータからの動力を歯車機構のみによって機械的に伝達するため、構造が複雑であり、長期間使用すると機構の摩耗によって動作不良や異常振動が比較的生じやすいという問題があった。
またこの種製品は、被験者の体内に挿入するという性質上、探触子自体に高度な衛生管理が求められるものの、上記従来の超音波内視鏡や超音波探触子は、動力伝達の機構上、グリス等の潤滑剤補充などのメンテナンスが必要であった。このため、衛生管理自体が困難であるという問題があった。
【０００６】
そこで本発明は、比較的簡易な構造でありながら長期間の使用によっても動作不良や異常振動が比較的生じにくく、かつ、挿入部である探触子の衛生管理自体が比較的容易な超音波探触子を提供し、また、このような超音波探触子を備えた超音波探触システムを提供することを課題とする。
【課題を解決するための手段】
【０００７】
上記課題を解決すべく本発明では以下の手段を講じている。
（１）本発明の超音波探触装置は、第一磁性体１２を一部に有する第一回転子１１を先端付近に備えると共に、第一回転子１１を回転させる回転機構を第一回転子１１よりも内側ないし後方に備えた、略筒状の第一ハウジング１０と、
第二磁性体３２を一部に有する第二回転子３１を基端付近に備えると共に、この第二磁性体３２が前記第一磁性体１２の磁場内に入った状態で第一ハウジング１０の先側に連結される、略筒状の第二ハウジング２０と、
第二ハウジング２０の筒内に伸長配置され、前記第二回転子３１に基部連結されて第二回転子３１の回転力をそれ自体の先部に伝える伝達ロッド３０と、
超音波探触子４１を外周側面に露出して備えると共に、伝達ロッド３０の先部に連結されて第二ハウジングの先端付近に組み込まれる第三回転子４０とを具備してなり、
前記第二磁性体３２は、第二ハウジングが第一ハウジングに連結されたとき、前記第一磁性体の磁場内に配され、
回転機構によって第一回転子１１が回転すると、第一磁性体の磁気モーメントを受けた第二磁性体と共に第二回転子３１が回転し、
第一磁性体の磁気モーメントによって第二回転子３１が回転すると、その第二回転子３１の回転に伴って伝達ロッド３０が先側の第三回転子４０に回転力を伝達し、
第三回転子４０が第三回転子４０の外周側面にて回転することで、第二ハウジングの先側部分の外方周囲を非接触探触することを特徴とする。
（２）前記超音波探触装置において、第一ハウジングの先端部と第二ハウジングの基端部のそれぞれに、互いに連結解除可能な一組の連結機構を片方ずつ備えることが好ましい。
【０００８】
具体的には、一組の連結機構は、第一ハウジング１０の先端面１０Ｅに備えられた一方の連結部２３Ｈと、第二ハウジング２０の基端面に備えられた他方の連結部とから構成され、これらが連結／連結解除することで、第一ハウジングと第二ハウジングが互いに連結／取り外しされるものとすることができる。
体内に挿入して探触する等の場合に、第二ハウジングを含む先側の体内挿入部を交換又は取り外し洗浄することで、より高度な衛生管理を行うことが可能となる。
【０００９】
（３）前記いずれかの超音波探触装置において、第三回転子４０は、第二ハウジング２０の先部にて伝達ロッド３０の先端に固定され、第二ハウジングの筒軸と同軸上に回転可能に取り付けられた回転筒体からなり、
この第三回転子４０の筒側面に、筒径方向外方を指向方向中心とした一または複数の超音波探触子４１を備えてなることが好ましい。
このような第三回転子を備えた装置であれば、軸に垂直な方向（ラジアル方向）を回転しながら非接触探触することができる。
【００１０】
（４）前記いずれかの超音波探触装置において、第二ハウジング２０の先部に、略筒状の支持ベース４Ｆが同軸連結され、
第三回転子４０は、この支持ベースの筒側面上から、軸と交差する突出軸方向に突出して、突出軸周りに回転可能に取り付けられた突出体からなり、
超音波探触子が、この突出体の突出側面に露出して組み込まれ、
伝達ロッド３０の回転力が、前記支持ベース内で方向変換され、突出体の突出軸周りの回転力として伝達されることが好ましい。
【００１１】
上記構成は後述の実施例３に採用される。
【００１２】
（５）また本発明の超音波探触システムは、超音波探触子によって非接触で探触データを取得する上記（１）〜（４）のいずれかの超音波探触装置と、取得された探触データを分析する分析装置とを具備してなる超音波探触システムであって、
超音波探触装置は、前記第三回転子４０の内部、又は第三回転子４０の先部に取り付けられた先端キャップ２Ｅ内のいずれかに、超音波探触子４１による探触データを送信する送信機４３を備え、
分析装置は、送信装置４３から送信された探触データを受信する受信機を備えることを特徴とする。
【発明の効果】
【００１３】
本発明によって提供される超音波探触子及び超音波探蝕システムは、上記構成のとおり、磁性体の回転によって形成される回転磁場を使用して非接触でロッドないし回転子を回転させるという回転機構を採用しているため、比較的簡易な構造でありながら長期間の使用によっても動作不良や異常振動が比較的生じにくく、振動を伴わない安定した回転動作を長期間継続できるものとなった。また歯車機構による動力伝達を必須としないため、挿入部である探触子の衛生管理自体が比較的容易なものとなった。
【図面の簡単な説明】
【００１４】
【図１】本発明の実施例１の超音波探触装置の、連結状態（ａ）及び連結解除状態（ｂ）の各状態における側面図。
【図２】実施例１の超音波探触装置の側面視方向の拡大中央断面図。
【図３】図２（実施例１）のＡ−Ａ線拡大断面図。
【図４】本発明の実施例２の超音波探触装置における、超音波探触子部分の正面視拡大断面図（図２のＡ−Ａ線相当位置の拡大断面図）。
【図５】本発明の実施例３の超音波探触装置の、連結状態における側面図。
【図６】実施例３のホルダ連結状態の超音波探触装置の平面図。
【図７】実施例３の超音波探触装置の側面視方向の拡大中央断面図。
【図８】図７（実施例３）のＢ−Ｂ線拡大断面図。
【図９】図７（実施例３）のＣ−Ｃ線拡大断面図。
【発明を実施するための形態】
【００１５】
以下、本発明を実施するための形態例を、実施例として示す各図と共に説明する。図１〜図３は実施例１の超音波探触装置を、図４は実施例２の超音波探触装置を、そして図５〜図９は実施例３の超音波探触装置を、それぞれ示す。
【００１６】
（本発明の最小限の構成）
本発明の超音波探触装置は、各実施例の構成のうち少なくとも以下の最小限の構成を備えたものであればよい。最小限の構成とはすなわち、各実施例に共通する以下の構成からなる。
・第一磁性体１２を一部に有する第一回転子１１を先端付近に備えると共に、第一回転子１１を回転させる回転機構を第一回転子１１よりも内側ないし後方に備えた、略筒状の第一ハウジング１０
・第二磁性体３２を一部に有する第二回転子３１を基端付近に備えると共に、この第二磁性体３２が前記第一磁性体１２の磁場内に入った状態で第一ハウジング１０の先側に連結される、略筒状の第二ハウジング２０
・第二ハウジング２０の筒内に伸長配置され、前記第二回転子３１に基部連結されて第二回転子３１の回転力をそれ自体の先部に伝える伝達ロッド３０
・超音波探触子４１を外周側面に露出して備えると共に、伝達ロッド３０の先部に連結されて第二ハウジングの先端付近に組み込まれる第三回転子４０
但し、前記第二磁性体３２は、第二ハウジングが第一ハウジングに連結されたとき、前記第一磁性体の磁場内に配されることを構成上の必須条件とする。
上記構成上の必須条件を満たす最小限の構成によって、以下の回転力の伝達動作を行うこととなる。回転力の伝達動作とはすなわち、回転機構によって第一回転子１１が回転すると、第一磁性体の磁気モーメントを受けた第二磁性体と共に第二回転子３１が回転し、第一磁性体の磁気モーメントによって第二回転子３１が回転すると、その第二回転子３１の回転に伴って伝達ロッド３０が先側の第三回転子４０に回転力を伝達し、第三回転子４０が第三回転子４０の外周側面にて回転することで、第二ハウジングの先側部分の外方周囲を非接触探触する、という動作である。
【００１７】
また本発明の超音波探触システムは、最小限の構成として少なくとも、これら実施例１〜３のいずれかの超音波探触装置と、超音波探触装置によって取得された探触データを分析する分析装置とから構成されるものであればよい。以下、各実施例の構成につき詳述する。
【実施例１】
【００１８】
（実施例１の基本構成）
図１〜図３に示す実施例１の超音波探触装置は、動力接続された回転機構を具備する棒状の第一ハウジングの先側に、被験者の体内に挿入可能な棒状の「体内挿入部」を備えてなる。具体的には、
第一磁性体１２を一部に有する第一回転子１１を先端付近に備えると共に、第一回転子１１を回転させる回転機構を第一回転子１１よりも内側ないし後方に備えた、略筒状の第一ハウジング１０と、
第二磁性体３２を一部に有する第二回転子３１を基端付近に備えると共に、この第二磁性体３２が前記第一磁性体１２の磁場内に入った状態で第一ハウジング１０の先側に連結される、略筒状の第二ハウジング２０と、
第二ハウジング２０の筒内に伸長配置され、前記第二回転子３１に基部連結されて第二回転子３１の回転力をそれ自体の先部に伝える伝達ロッド３０と、
超音波探触子４１を外周側面に露出して備えると共に、伝達ロッド３０の先部に連結されて第二ハウジングの先端付近に組み込まれる第三回転子４０とを具備して構成される。
【００１９】
（連結状態と連結解除状態）
図１、図２に示すように、棒状に伸長する第二ハウジング２０、第二ハウジング２０内の伝達ロッド３０、及び第二ハウジング２０よりも先側の第三回転子４０は「体内挿入部」として一体的に組み付け構成される。また、第一ハウジングの先端部と第二ハウジングの基端部のそれぞれに、互いに連結解除可能な一組の連結機構を片方ずつ備えており、第一ハウジング１０の先端から第二ハウジング２０が連結ないし分離可能に構成される。具体的には、第一ハウジング１０の先端面１０Ｅ中央から軸方向に、爪状の先側連結部２３Ｈが突出形成され、また、第二ハウジング２０の基端面に、先側連結部２３Ｈを嵌入保持し得る挿入孔が形成される。これら先側連結部２３Ｈ及び挿入孔が、一方の連結部及び他方の連結部からなる一組の連結機構を構成する。
これにより、前記体内への挿入部が、第一ハウジング１０に連結された連結状態（図１ａ）ないし、前記体内への挿入部が、第一ハウジング１０から分離した連結解除状態（図１ｂ）のいずれかの状態となる。ここで第二ハウジングが第一ハウジングに連結された連結状態において、第二磁性体３２は前記第一磁性体の磁場内に配されており、回転機構によって第一回転子１１が回転すると、第二磁性体が第一磁性体の磁場に基づく磁気モーメントを受け、第二磁性体を固定した第二回転子３１が第二ハウジング２０に対して回転するようになっている。
【００２０】
なお、先側連結部２３Ｈと挿入孔は、それぞれ第二ハウジング２０の基端面、第一ハウジング１０の先端面に備えられていてもよく、また、一組の連結機構は、体内挿入部の連結状態ないし連結解除状態を維持するものであれば、他の形状による組み合わせからなるものでもよい。
【００２１】
（第一ハウジング）
第一ハウジングは、内部空間を有した筒状体によってカバーされてなる。この筒状体は、板状の先端面１０Ｅを一体化してなり、ピン１０Ｐで固定される。この内部空間内の基部寄りの位置にモーターＭを収容すると共に、内部空間内の先端寄りの位置に、モーターシャフトＡと機械連結された第一回転子１１を収容する。第一回転子１１はモーターＭのうちモーターシャフトＡの先側に固定される。具体的にはモーターシャフトＡは第一ハウジングの筒軸に沿って先側に伸長し、周囲を第一回転子１１の基端側に形成された接続枠に覆設され、接続枠を筒径方向に貫通螺合する圧接ピン１１Ｐによって、この接続枠に圧接固定される。これにより、第一回転子１１は、筒軸中央に固定された短軸周りのベアリング１Ｂによって自由回転可能に構成され、モーターシャフトＡの動力回転と共に、第一ハウジング１０内の先端付近で回転する。
【００２２】
第一ハウジングの先端面１０Ｅを構成する先端板は、その中央両面にそれぞれ、内側連結部１３Ｈ、及び先側連結部２３Ｈが爪状に突出形成される。内側連結部１３Ｈは第一回転子１１の先側中央に形成された中央孔内に突出し、ベアリング１Ｂ内の短軸の周部に嵌合して短軸を保持固定する。
先側連結部２３Ｈは、第一ハウジング１０の先端面１０Ｅ中央から軸方向に突出形成され、第二ハウジング２０の基端面に形成された挿入孔に嵌入し、挿入孔内で突出する中央軸２３の周部に圧接する。この先側連結部２３Ｈの挿入孔内への嵌入と中央軸への圧接によって、体内挿入部が第一ハウジングの先端面に連結される。また体内挿入部を引き抜くことで容易に圧接解除される。
【００２３】
（体内挿入部）
体内挿入部は、第一ハウジング１０の先端面から抜き差しすることで、図１ａに示す連結状態又は図１ｂに示す連結解除状態にすることができる。
体内挿入部の構成は、第二磁性体３２を一部に有する第二回転子３１を基端付近に備えると共に、この第二磁性体３２が前記第一磁性体１２の磁場内に入った状態で第一ハウジング１０の先側に解除可能に連結される略筒状の第二ハウジング２０と、
第二ハウジング２０の筒内に伸長配置され、前記第二回転子３１に基部連結されて第二回転子３１の回転力をそれ自体の先部に伝える伝達ロッド３０と、
超音波探触子４１を外周側面に露出して備えると共に、伝達ロッド３０の先部に連結されて第二ハウジングの先端付近に組み込まれる第三回転子４０と、
第三回転子の先側に取り付けられた先端キャップ２Ｅとを一体的に具備してなる。
【００２４】
体内挿入部の軸中央には、第二ハウジング２０及び、第三回転子４０、及び先端キャップ２Ｅの中央部分を貫通する中央軸２３が挿通固定される。中央軸２３は先部が先端キャップ２Ｅに回転不能に固定され、第二ハウジング２０の基端面の挿入孔近傍まで伸長する。この中央軸２３の周りに、ベアリング２Ｂ，３Ｂを介して伝達ロッド３０、及び筒状の送信機４３が覆設される。この中央軸２３とベアリング２Ｂ，３Ｂとによって、伝達ロッド３０及び送信機４３を自由回転可能に支持する回転支持機構が構成される。
【００２５】
また第二ハウジング内には伝達ロッド３０が自由回転可能に収容される。伝達ロッド３０は、円形筒状のまま伸長する棒体を有し、棒体の基端部に円板状の第二回転子３１が拡径固定される。また実施例１の伝達ロッド３０の棒体の先端部には、円筒状の第三回転子４０が固定され、伝達ロッド３０の回転と共に第三回転子４０が回転するものとなっている。一体構成された第二回転子３１２０、伝達ロッド３０、及び第三回転子４０の各内部孔内を、中央軸２３が挿通して、回転機構によって中央軸２３周りに自由回転可能となっている。
【００２６】
（第三回転子４０）
第三回転子４０は、第二ハウジング２０の先部にて伝達ロッド３０の先端に固定され、第二ハウジングの筒軸と同軸上に回転可能に取り付けられた回転筒体からなり、この第三回転子４０の筒側面に、筒径方向外方を指向方向中心とした一個の超音波探触子４１を備えてなる。
【００２７】
実施例１の超音波探触装置において、図２のＡ−Ａ断面位置に相当する第三回転子４０の長さ方向中央部分の軸断面（すなわち超音波探触子部分の正面視拡大断面）は、図３のように表れる。図３の軸断面図においては、第三回転子４０の内部に連絡通路４２が形成され、第三回転子４０の周部であって各連絡通路の先端位置に、一つの超音波探触子４１が外周に露出して固定される。露出部分を超音波探触面とし、この超音波探触面から径方向外方へ超音波信号の送受信を行う。送信信号及び受信信号は、連絡通路を通って送信機４３に電気連絡され、一旦送信機内に信号が記録される。送信機４３は外部の受信機（図示せず）に受信信号を送信し、外部の分析装置（図示せず）にて超音波探触画像を解析する。
【００２８】
（回転力の伝達）
実施例１において、回転機構によって第一回転子１１が回転すると、第一磁性体の磁気モーメントを受けた第二磁性体と共に第二回転子３１が回転し、
第一磁性体の磁気モーメントによって第二回転子３１が回転すると、その第二回転子３１の回転に伴って伝達ロッド３０が先側の第三回転子４０に回転力を伝達する。そして、回転力を伝達された第三回転子４０が、第三回転子４０の外周側面にて回転する。これにより、第三回転子４０に固定された超音波探触子が、第二ハウジングの先側部分の外方周囲に沿って回転移動し、体内挿入部の周方向外方を、ラジアル方向に非接触探触する。
【実施例２】
【００２９】
図４に示す実施例２の超音波探触装置では、第三回転子４０の周囲に４つの超音波探触子４１を略等間隔に備えており、各超音波探触子４１の裏側から第三回転子４０の内部中心方向にそれぞれ連絡通路４２が形成される。それ以外の第一ハウジング１０、第二ハウジング２０、伝達ロッド３０を含む部品構成、部品形状、及び回転動作はすべて実施例１と同一である。
【００３０】
より具体的には、実施例２の超音波探触装置において、図２のＡ−Ａ断面位置に相当する第三回転子の長さ方向中央部分の軸断面（すなわち超音波探触子部分の正面視拡大断面）は、図４のように表れる。図４の軸断面図においては、第三回転子４０の内部に軸断面視十字状の連絡通路４２が形成され、第三回転子４０の周部であって各連絡通路の先端位置に、それぞれ超音波探触子４１が固定される。
【実施例３】
【００３１】
図５〜図９に示す実施例３の超音波探触装置においては、前記第一磁性体と第二磁性体による伝達ロッド３０基部の磁場回転機構に加えて。第三磁性体と第四磁性体による伝達ロッド３０先部の磁場回転機構を備えている。また第三回転子は、ロッドの回転軸と直交するラジアル方向軸周りにも磁場回転するものであり、第三回転子の頭部に設けられた超音波探触子４０は、ラジアル方向（図８の矢印方向）に回転移動して超音波探触可能となっている。
【００３２】
具体的には、実施例３の超音波探触装置においては、第二磁性体３２を保持固定した第二回転子３１の先部に伝達ロッド３０が一体固定され、伝達ロッド３０の先部が拡径して第三保持部３３を構成し、この第三保持部３３に第三磁性体３４が埋め込み固定される。また、第三保持部３３の先側に、筒状の延長ロッド４５Ｈが突出形成される。これら第二回転子３１、伝達ロッド３０、第三保持部３３、及び延長ロッド４５はすべて一体的に構成され、伝達ロッド３０の内部の筒孔に組み込まれたベアリング２Ｂによって、中央軸２３周りに自由回転可能に保持される。
【００３３】
また、実施例３の超音波探触装置においては、第二ハウジング２０の先部に、略筒状の支持ベース４Ｆが回転不能に同軸連結され、この支持ベースの筒側面上から、軸と交差する突出軸方向に突出して、２つの第三回転子４０が設けられる。２つの第三回転子４０はそれぞれ、球冠状の頭部を有する扁平円柱状の回転体からなる。
【００３４】
支持ベース４Ｆは中央軸部分が円形に刳り抜かれており、この刳り抜き部分に筒状の延長ロッド４５Ｈが収容される。延長ロッド４５Ｈの内部には中央軸２３が環状のベアリング３Ｂを介して挿通する。
【００３５】
各回転体は、支持ベース４Ｆの筒側面に離反して形成された枠穴内に埋め込まれて、ハウジング軸と直交する軸周りに自由回転可能に保持される。ここで回転体には、その扁平円柱の周側面に沿って、環状の第四磁性体が組み込まれ、また、その扁平円柱の底部中央に突出ピン４５が突出形成される。
【００３６】
一方、支持ベース４Ｆの枠穴底中央には、突出ピン４５を挿入させる挿入孔が形成される。そして、挿入孔内に挿入した突出ピン４５の突出基部の挿入部分周囲に、挿入孔枠形状の環状のベアリング４Ｂが組み込まれる。この環状のベアリング４Ｂによって突出ピン４５の突出基部が自由回転可能に保持される（図７、図８）。また突出ピン４５の先部は、延長ロッド４５Ｈの側面に形成されたピン孔内に挿入されて、ピン位置が移動制限される。そして、回転体の突出部の周部に組み込まれたベアリング機構４Ｂによって、回転体が駒状に回転可能となっている。
【００３７】
第三回転子４０の頭部は、この支持ベースの筒側面上から、軸と交差する突出軸方向に突出して、突出軸周りに回転可能に取り付けられた部分球状の突出体からなり、半円形曲面の探蝕面を有する２つの超音波探触子が、この突出体の突出側面の周部にて、部分球状の突出面に沿って組み込まれる（図６）。そして伝達ロッド３０の回転力が、前記支持ベース内で方向変換され、突出体の突出軸周りの回転力として伝達される。
【００３８】
（第三磁性体及び第四磁性体）
実施例３では伝達ロッド３０の先部が拡径して伝達保持部３３を構成し、この伝達保持部３３に第三磁性体３４、３５が埋め込み固定される。第三磁性体３４、３５は極方向を互いに異にするブロック状の正極第三磁性体３４と負極第三磁性体３５とから構成され、図９に示すように、正極第三磁性体３４と負極第三磁性体３５とが周方向に交互に隣接形成されて略ドーナツ状の磁性面を構成し、第二回転子３１２０の先端面に露出する。また、このドーナツ状の磁性面の内側部分には、カバー基端部中央の保持枠に対して自由回転する環状ベアリング２１０が形成され、さらにその内側部分には、ベアリング３Ｂ及び中央軸２３が突出形成される。
【００３９】
（実施例３の動力伝達）
実施例３において、第一磁性体１２は、回転した第一回転子１１によって第一回転磁場を形成し、この第一回転磁場によって第二磁性体３２に第一磁性モーメントを付与する。磁性モーメントを付与されて磁性反応した第二磁性体３２は、伝達ロッド３０の内部の回転機構（中央軸２３及びベアリング２Ｂ）によって、第二回転子３１、伝達ロッド３０、及び伝達磁性体３４と共に、第二ハウジング２０に対して回転移動する。
【００４０】
そして第三磁性体３４が、回転した伝達保持部３３によって第三回転磁場を形成し、この第三回転磁場によって第四磁性体４４に第三磁性モーメントを付与する。第三磁性モーメントを付与されて磁性反応した第四磁性体４４は、第三回転子４０の回転機構によってラジアル方向軸周りに回転する。これにより、超音波探触子は三次元的な検視移動が可能となる。
【００４１】
他の特記しない構成、形状、及び回転動作は実施例１と同様である。
【００４２】
（超音波探触システム）
また、本発明の超音波探触システムは、超音波探触子によって非接触で探触データを取得する上記いずれかの超音波探触装置と、取得された探触データを分析する分析装置とを具備してなる。この超音波探触システムにおける超音波探触装置は、前記第三回転子４０の内部、又は第三回転子４０の先部に取り付けられた先端キャップ２Ｅ内のいずれかに、超音波探触子４１による探触データを送信する送信機４３を備える。また分析装置は、送信装置４３から送信された探触データを受信する受信機を備えており、一個または他数個の超音波探触装置によって取得された探触データを分析する。
【００４３】
体内に挿入して探触する等の場合に、第二ハウジングを含む先側の体内挿入部を第一ハウジングの先から連結解除し、これを交換又は洗浄することで、より高度な衛生管理を行うことが可能となる。体内挿入部をユニット化して耐熱・耐水性能を持たせると共に、サイズの異なる体内挿入部のユニットをあらかじめ複数個用意しておき、一つのホルダの第一ハウジングの先部にいずれかを交換可能に連結できるものとすれば、衛生管理上の処理を施した体内挿入部、或いは被施療者に応じた体内挿入部を選択的に使用することができることとなる。
【符号の説明】
【００４４】
１０  第一ハウジング
１０Ｅ  先端面
１１  第一回転子
１２  第一磁性体
２Ｅ  先端キャップ
２３  中央軸
２３Ｈ  一方の連結部（先側連結部）
２０  第二ハウジング
３０  伝達ロッド
３１  第二回転子
３２  第二磁性体
４Ｆ  支持ベース
４０  第三回転子
４１  超音波探触子
４２  連絡通路
４３  送信機
【図１】
2014079475.tif 000003
【図２】
2014079475.tif 000004
【図３】
2014079475.tif 000005
【図４】
2014079475.tif 000006
【図５】
2014079475.tif 000007
【図６】
2014079475.tif 000008
【図８】
2014079475.tif 000009
【図９】
2014079475.tif 000010
【図７】
2014079475.tif 000011